【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
供給原油から石油化学製品及び燃料製品を製造する統合プロセスであって、
常圧蒸留ユニット（ＡＤＵ）において、前記供給原油から、少なくとも
直留ナフサを含む第一ＡＤＵ留分、
前記供給原油から出る中質留分の少なくとも一部を含む第二ＡＤＵ留分、及び
常圧残油を含む第三ＡＤＵ留分、
を分離すること、
減圧蒸留ユニット（ＶＤＵ）において、前記第三ＡＤＵ留分から、少なくとも
減圧軽油を含む第一ＶＤＵ留分、及び
減圧残油を含む第二ＶＤＵ留分
を分離すること、
ディレードコーキング域で、前記減圧残油の少なくとも一部をコーキングすること、ならびにコーカーナフサ流、コーカー軽油流、及び石油コークスを回収すること、
留分水素化処理（ＤＨＰ）域において、前記第二ＡＤＵ留分から出る中質留分を水素化処理すること、ならびに少なくとも、第一ＤＨＰ留分及び第二ＤＨＰ留分を回収することであって、前記第一ＤＨＰ留分は、ナフサを含み、及び前記第二ＤＨＰ留分は、ディーゼル燃料製造に使用される、前記水素化処理すること、ならびに前記回収すること、
軽油水素化処理（ＧＯＨＰ）域において、前記第一ＶＤＵ留分から出る減圧軽油及び前記コーキング工程から出るコーカー軽油を水素化処理すること、ならびにＬＰＧ、ナフサ、及び中質留分範囲の成分を含む常圧残油終点以下で沸騰する成分を含有する第一ＧＯＨＰ留分、及び重質油を含有する第二ＧＯＨＰ留分を回収することであって、前記重質油は、減圧軽油範囲の水素化精製軽油または未転化油である、前記前記水素化処理すること、ならびに前記回収すること、
混合原料水蒸気分解（ＭＦＳＣ）域において、前記第一ＡＤＵ留分から出るナフサ及び芳香族化合物抽出域に由来する抽残液を、ならびに軽油水蒸気分解（ＧＯＳＣ）域において、重質油を、水蒸気分解することであって、水蒸気分解は、少なくとも、混合生成物流Ｈ２、メタン、エタン、エチレン、混合Ｃ３、及び混合Ｃ４、熱分解ガス、及び熱分解油を回収するのに有効な条件下で作動する、前記水蒸気分解すること、
前記混合生成物流から、Ｈ２、メタン、非オレフィンＣ２−Ｃ４、ならびに石油化学製品であるエチレン、プロピレン、及びブチレンを回収すること、
ナフサ水素化処理域において、水蒸気分解から出た熱分解ガスを水素化処理すること、及び水素化精製された熱分解ガスを回収すること、
芳香族化合物抽出域において、石油化学芳香族化合物生成物回収のため、水素化精製熱分解ガスから芳香族化合物を、及び芳香族化合物抽出域抽残液を、分離することであって、芳香族化合物抽出に由来する前記抽残液は、前記芳香族化合物抽出域抽残液の全部または一部である、前記分離すること、
を含む、前記統合プロセス。
【請求項２】
前記コーキング工程は、さらに、
コーカーナフサ水素化精製装置において、前記コーカーナフサ流を水素化精製して、水素化精製コーカーナフサ流出油を生成すること、
前記芳香族化合物抽出域において、石油化学芳香族化合物生成物回収のため、水素化精製コーカーナフサ流出油から芳香族化合物を、及び芳香族化合物抽出域抽残液を、分離することであって、芳香族化合物抽出に由来する前記抽残液は、前記芳香族化合物抽出域抽残液の全部または一部である、前記分離すること、
を含む、請求項１に記載の統合プロセス。
【請求項３】
さらに、前記芳香族化合物抽出域において芳香族化合物を分離する前に水素化精製コーカーナフサ流出油からＣ５を取り出すこと、及び前記取り出されたＣ５の少なくとも一部を前記ＭＦＳＣに送ることを含む、請求項２に記載の統合プロセス。
【請求項４】
さらに、水蒸気分解から出る熱分解油の少なくとも一部が、前記コーキング工程で処理される、請求項１または２に記載の統合プロセス。
【請求項５】
さらに、熱分解油は、軽質熱分解油及び重質熱分解油を含み、かつ、軽質熱分解油の少なくとも一部は、前記ＤＨＰ及び／または前記ＧＯＨＰで処理され、かつ重質熱分解油の少なくとも一部は、前記コーキング工程で処理される、請求項１または２に記載の統合プロセス。
【請求項６】
前記第二ＡＤＵ留分中の前記中質留分は、灯油燃料製品を回収するために灯油精製プロセスで処理される灯油、及び前記留分水素化処理域で処理される前記第二ＡＤＵ留分の前記一部である直留ディーゼル留分を含む、請求項１から５のいずれか１項に記載のプロセス。
【請求項７】
さらに、前記第二ＡＤＵ留分中の前記中質留分は、前記ＧＯＨＰ域または前記ＧＯＳＣ域で処理される重質常圧軽油を含む、請求項８に記載のプロセス。
【請求項８】
前記混合生成物流から回収される非オレフィンＣ４は、さらなる石油化学製品の製造のため前記混合原料流分解域に循環使用されるか、あるいは、さらなる石油化学製品の製造のため、別個の処理域に循環使用されるものであり、該別個の処理域は、前記非オレフィンＣ４におけるブテンを混合ブタノールに転化するものであるか、あるいは、石油化学プロピレン、及び、前記ＭＦＳＣ域に循環使用されるＣ４／Ｃ５抽残液流を生成するメタセシス反応域である、請求項１から７のいずれか１項に記載のプロセス。
【請求項９】
前記水素化精製熱分解ガスからＣ５を回収すること、
さらなる石油化学製品の製造のため、前記回収されたＣ５を、前記別個の処理域に送ること、
前記回収されたエチレンの一部を、前記別個の処理域に送ること、
を含み、
前記別個の処理域は、メタセシス反応域であり、前記メタセシス反応域は石油化学プロピレン及びＣ４／Ｃ５抽残液流を生成し、前記Ｃ４／Ｃ５抽残液流は、前記混合原料流分解域に循環使用される、請求項８に記載のプロセス。
【請求項１０】
さらに、前記水素化精製熱分解ガスからＣ５を回収すること、
前記回収されたＣ５を、前記ＭＦＳＣ域に、さらなる石油化学製品の製造のため前記別個の処理域に、または前記混合原料流分解域及びさらなる石油化学製品の製造のため前記別個の処理域の両方に送ること、
を含む、請求項１から９のいずれか１項に記載のプロセス。
【請求項１１】
石油化学製品及び燃料製品を製造するための統合されたシステムであって、
供給原料（１０２）を受け取って分離し、ナフサを含む第一ＡＤＵ留分（１３６）、前記供給原料から出る中質留分の少なくとも一部を含む第二ＡＤＵ留分（１２２）、及び、常圧残油を含む第三ＡＤＵ留分（１１４）、を排出するよう動作可能な常圧蒸留ユニット（ＡＤＵ）（１１０）と、
前記第三ＡＤＵ留分（１１４）を受け取って分離し、減圧軽油を含む第一ＶＤＵ留分（１６２）、及び、減圧残油を含む第二ＶＤＵ留分（１６８）、を排出するよう動作可能な減圧蒸留ユニット（ＶＤＵ）（１６０）と、
減圧残油を含む前記第二ＶＤＵ留分（１６８）を受け取ってコーカーナフサ流（９２２）、コーカー軽油流（９０４）、及び石油コークス（９１０）に転化するよう動作可能なディレードコーキング域（９００）と、
前記第二ＡＤＵ留分（１２２）から出る中質留分を受け取って、ナフサを含む第一ＤＨＰ留分（１８４）、及び、ディーゼル燃料製造に使用される第二ＤＨＰ留分（１８２）に転化するよう動作可能な留分水素化処理（ＤＨＰ）域（１８０）と、
前記第一ＶＤＵ留分（１６２）から出る減圧軽油、及び前記コーカー軽油流（９０４）を受け取って精製し、ナフサ範囲の成分を含む第一ＧＯＨＰ留分（３０６／３２６）、及び、重質油を含有し減圧軽油範囲において水素化精製軽油であるか未転化油である第二ＧＯＨＰ留分（３０４／３２４）、を生成するよう動作可能な軽油水素化処理（ＧＯＨＰ）域（３００／３２０）と、
（ａ）前記第一ＡＤＵ留分（１３６）から出るナフサ、及び、芳香族化合物抽出域（６２０）からのＣ６−Ｃ９非芳香族化合物抽残液流（６４６）を受け取って熱分解するよう動作可能な混合原料水蒸気分解（ＭＦＳＣ）域（２３０）、及び、（ｂ）前記第二ＧＯＨＰ留分（３０４／３２４）を受け取って熱分解するよう動作可能な軽油流分解（ＧＯＳＣ）域（２５０）、を含み、混合Ｃ１−Ｃ４パラフィン及びオレフィンを含有する混合生成物流（２３２，２５２）、熱分解ガス流（２３４，２５４）、ならびに熱分解油流（２３６，２５６）、を生成するよう動作可能な水蒸気分解域と、
前記熱分解ガス流（２３４，２５４）を受け取って精製し水素化精製熱分解ガス（６０４）を生成するナフサ水素化処理域（６００）と、
前記水素化精製熱分解ガス（６０４）を受け取って１以上の芳香族化合物生成物流（６２４，６２６）及び前記Ｃ６−Ｃ９非芳香族化合物抽残液流（６４６）に分解するよう動作可能な芳香族化合物抽出域（６２０）と、を含むシステム。
【請求項１２】
前記コーカーナフサ流（９２２）を受け取って水素化精製コーカーナフサ流出油（９０８）に転化するよう動作可能なコーカーナフサ水素化精製装置（９２４）をさらに含み、前記芳香族化合物抽出域（６２０）は、前記水素化精製コーカーナフサ流出油（９０８）を受け取って芳香族化合物を分離するよう動作可能なものである請求項１１に記載のシステム。
【請求項１３】
前記コーカーナフサ水素化精製装置（９２４）は、前記芳香族化合物抽出域での芳香族化合物の分離の前に、水素化精製コーカーナフサ流出油からＣ５を取り出すよう動作可能なものであり、前記ＭＦＳＣ域（２３０）は、水素化精製コーカーナフサからのＣ５を受け取るよう動作可能なものである請求項１２に記載のシステム。
【請求項１４】
前記ＭＦＳＣ域（２３０）は、前記第一ＤＨＰ留分（１８４）からのナフサ、前記第一ＧＯＨＰ留分（３０６／３２６）からのナフサ、あるいは、前記第一ＤＨＰ留分（１８４）及び前記第一ＧＯＨＰ留分（３０６／３２６）双方からのナフサを受け取って熱分解するよう動作可能なものである請求項１１から１３のいずれかに記載のシステム。
【請求項１５】
前記ナフサ水素化処理域（６００）は、Ｃ５流（６０６）を生成するよう動作可能なものであり、前記ＭＦＳＣ域（２３０）は、前記Ｃ５流（６０６）を受け取って熱分解するよう動作可能なものである請求項１１から１４のいずれかに記載のシステム。
【請求項１６】
前記ＡＤＵ（１１０）はさらに、前記第一ＤＨＰ留分（１８４）からのナフサ、前記第一ＧＯＨＰ留分（３０６／３２６）からのナフサ、あるいは、前記第一ＤＨＰ留分（１８４）及び前記第一ＧＯＨＰ留分（３０６／３２６）双方からのナフサを受け取って分離するよう動作可能なものである請求項１１から１５のいずれかに記載のシステム。
【請求項１７】
前記ＭＦＳＣ域（２３０）は、前記非オレフィン流（５２４）を受け取って熱分解するよう動作可能なものであるか、あるいは、
前記システムがさらに、
前記Ｃ４蒸留ユニット（５２０）からのブテン混合物（５５２）を受け取って混合ブタノール生成物流（５５４）に転化するよう動作可能な混合ブタノール生成域（５５０）、
あるいは、
前記Ｃ５流（６０６）の全部あるいは一部を受け取ってプロピレン流（５３４）、及びＣ４／Ｃ５抽残液流（５３８）に転化するよう動作可能なメタセシス反応域（５３０）であって、前記ＭＦＳＣ域（２３０）は、前記Ｃ４／Ｃ５抽残液流（５３８）を受け取って熱分解するよう動作可能なものであるメタセシス反応域（５３０）、を含む請求項１１から１６のいずれかに記載のシステム。
【請求項１８】
前記混合生成物流（２３２，２５２）を受け取って燃料ガス流（２０８）、エチレン流（２０２）、混合Ｃ３流（２８６）、及び混合Ｃ４流（２０６）に分解するよう動作可能なオレフィン回収トレイン（２７０）と、前記混合生成物流（２３２，２５２）から回収したＣ４の一部を受け取ってオレフィン流（５２２）及び非オレフィン流（５２４）に分離するよう動作可能なＣ４蒸留ユニット（５２０）と、を含む請求項１１から１７のいずれかに記載のシステム。